(57)【要約】【課題】  日除けシートを大きく張り出せるようにする。使用時においてアームが邪魔にならないようにする。使用状況やスペースに合わせて張り出し量を変更したり、日陰量の調整ができるようにする。【解決手段】    前後にガイドレール４をそれぞれ備えた２本の支柱１と、２本の支柱１の間に跨って支柱１の上端に取り付けられて前後に張り出される２枚の日除けシート２のそれぞれの末端側を自動的に巻き上げて収納する巻き戻し機構６と、各ガイドレール４に沿って昇降自在に取り付けられたスライダ２３と、各スライダ２３に基端部が回転自在に支持されると共に先端側で前枠１１に連結されて各日除けシート２の先端を支持するアーム３と、各アーム３の各日除けシート２を取り付けた部分と各スライダ２３との間に先端が回転自在に連結されると共に後端側が支柱１に各々回転自在に取付けられて支持される補助アーム５と、各ガイドレール４に対する各スライダ２３の少なくとも上スライド端を定めるストッパ片８とを備えるものである。【選択図】        図１
2006043430.tif 000002
【特許請求の範囲】
【請求項１】
前後にスライドレール部をそれぞれ備えた２本の支柱と、前記２本の支柱間に跨って前記支柱の上端に取り付けられて前後に張り出される２枚の日除けシートのそれぞれの末端側を自動的に巻き上げて収納する巻き戻し機構と、前記各スライドレール部に沿って昇降自在に取り付けられたスライダと、前記各スライダに基端部が回転自在に支持されると共に先端側で前枠に連結されて前記各日除けシートの先端を支持するアームと、前記各アームの前記各日除けシートを取り付けた部分と前記各スライダとの間に先端が回転自在に連結されると共に後端側が前記支柱に各々回転自在に取付けられて支持される補助アームと、前記各スライドレール部に対する前記各スライダの少なくとも上スライド端を定める固定手段とを備えることを特徴とする自立型オーニング。
【請求項２】
各支柱の前後の前記各スライダが互いに独立して昇降可能に設けられ、前後の前記各日除けシートが別々に開閉できるものである請求項１記載の自立型オーニング。
【請求項３】
各支柱の前後の前記各スライダが互いに連結されて同時に昇降可能に設けられ、前後の前記各日除けシートが同時に開閉できるタイプである請求項１記載の自立型オーニング。
【請求項４】
前記各アームを閉じたときに前記各アームの基端部のスライダを昇降させて前記各アームの先端を前記支柱から離すように倒す方向の付勢力を常時付勢する操作力アシスト手段を有するものである請求項１から３のいずれか１つに記載の自立型オーニング。
【発明の詳細な説明】
【技術分野】
【０００１】
本発明はオーニングに関する。さらに詳述すると、本発明は支柱を有し任意の場所に設置可能な自立型オーニングの構造の改良に関する。
【背景技術】
【０００２】
大型で折り畳み式の自立型オーニングとしては、例えば特開２０００−１０６９２７号に開示されたようなものがある。この自立型オーニングは、図２７（Ａ），（Ｂ）に示すように、基礎に立設された支柱１０１と、この支柱１０１に昇降可能に嵌合された円環状のスライド体（受骨用ろくろ）１０２と、このスライド体１０２の周りに放射状に回転管のうに連結された８本の骨組１０３と、支柱１０１の頂部と各骨組１０３の途中を回転自在に連結する支え骨１０４と、８本の骨組１０３に支持されるように張られた八角形状の日除けシート１０５と、支柱１０１内を通ってスライド体１０２に連結され該スライド体１０２を昇降させるためのワイヤ１０６とウィンチ１０７から成るもので、所謂傘を逆さまにして開閉するような構造である。また、同種の自立型オーニングとして、日除けシートを正方形に形成して、支柱を中心に放射状に広がるようにしたものもある（特開平７−１６１１１号）。
【０００３】
また、図２８に示すように、日除け（パラソル）２０２部分を支柱２０１からせり出したアーム２０３の先端に吊り下げ、開閉可能とした自立型オーニングもある（特開２００１−１２８７１６号）。アーム２０３はその基端部の環状スライダ２０５を介して支柱２０１に摺動自在に連結され支柱２０１に沿って昇降可能であり、支柱２０１の頂部に回転可能に取り付けられた補助アーム２０４によって中間が支持され、図示していないハンドルの回転操作などによってロープを巻き上げてアーム２０３を前方に倒しながら持ち上げることにより、日除け２０２が支障なく展開できるように支柱２０１から十分離れた位置で日除け２０２を支持するようにしている。さらに、日除け２０２を開閉させる受骨用ろくろ２０６には日除け開閉用のロープが結ばれており、アーム２０３の張り出し後に日除け開閉用ロープを引いて日除け２０２を展開するようにしている。このロープは支柱や何処か適当な場所に結び付けて固定するか、あるいはロープの端をハンドル（図示省略）を回して巻き取ることにより行うようにしている。
【０００４】
また、図２９に示すように、支柱３０１の片側だけに方形の日除けシート３０２を開くようにして、支柱３０１を通路などの隅に設置可能とした自立型オーニングもある（特開２００３−２１０２２５号）。更に、方形の日除けシートを、傾斜した支柱からほぼ水平方向へ突き出されたアームの先端に吊り下げた組み立て式の自立型オーニングもある（特開平９−１６１５００号）。
【０００５】
【特許文献１】特開２００１−１２８７１６号
【特許文献２】特開平０９−３２４号
【特許文献３】特開２００３−２１０２２５号
【特許文献４】特開平０７−１６１１１号
【特許文献５】特開２０００−１０６９２７号
【発明の開示】
【発明が解決しようとする課題】
【０００６】
しかしながら、これら従来の自立型オーニングでは、低い位置で日除けを開こうとする場合には広い面積・大型化することはできない。日除けは吊り下げられるように閉じられるため、大型化するには支柱の高さを高くし、かつ開かれるときにも高い位置に吊り下げられる必要がある。
【０００７】
また、日除けを開くためには、ロープやワイヤなどを介して重量のある傘骨やシートを持ち上げる必要があり、特に日除けが大型の場合は大きな力が必要となる。ロープを手で引っ張っるのは大変であるし、しかも引っ張った状態で何処かに結び付けて固定するのは更に大変である。また、日除けを開こうとするとき、窄んだ状態で収納されている日除けの末端部分が閉じて瞬間的に負圧が生じ、日除けが開くのを妨げるため、日除けを開くときに大きな力を要する。
【０００８】
特に、日除け部分を支柱からせり出させたアームの先端に吊り下げて開閉可能とする自立型オーニングでは、支柱から離れた位置にアームを突出させる操作と、日除けを展開する操作とが別々に必要であり、開閉に時間がかかり面倒である。また、開閉操作の高速化を図るには操作ワイヤの巻き取り用ウィンチやドラムを大型化せざるを得ず、デザイン的にも場所的にも好ましくない。
【０００９】
また、いずれの自立型オーニングの場合にも、日除けは、使わない状態でも単に閉じられているだけであるため、陽に晒されて退色や生地の劣化を促進させる問題を有している。
【００１０】
また、放射状に広がる骨組だけで支持されている自立型オーニングでは、強風に煽られたときなどに骨組に局所的な負荷がかかって壊れ易い問題がある。更に、支柱の片側へ日除けを吊り下げたりあるいは日除けシートを張り出す構造では、アームによる日除けの支持強度が得られないため、突風などに弱く壊れやすいという問題を有する。
【００１１】
また、中央に支柱がある自立型オーニングの場合には、オーニングの下の利用できる空間が支柱で分断されるため、中央が使えず、使い勝手の悪い問題を有する。例えばオーニングの中央を横切るような状態でテーブルやリクライニングチェア、ベット、シートなどを置くことができない。また、中央の支柱を中心にオーニングが展開される構造なので、設置場所が制限され壁面や構造物などに接近させて据え付けることができない。
【００１２】
更に、日除けの状態は開いた状態か閉じた状態かの２つの状態であるため、設置スペースに合わせて開き量・張り出し量を変更して日陰となる面積の調整や、日陰の位置を調整することができない。
【００１３】
そこで、本発明は、低い位置で開かれる割に大面積の自立型オーニングを提供することを目的とする。また、本発明は、使用状況やスペースに応じて日除けシートの張り出し量や張り出し方向を変更したり、日陰の量並びに位置の調整が可能な自立型オーニングを提供することを目的とする。また、本発明は、使わないときには日除けシートを完全に収納して日やけによる退色や劣化を防ぐことができる自立型オーニングを提供することを目的とする。また本発明は、軽い力で開閉操作ができる自立型オーニングを提供することを目的とする。更に、本発明は、日除けを閉じるときの支柱との衝撃を軽減できる自立型オーニングを提供することを目的とする。
【課題を解決するための手段】
【００１４】
かかる目的を達成するため、請求項１記載の発明にかかる自立型オーニングは、前後にスライドレール部をそれぞれ備えた２本の支柱と、前記２本の支柱間に跨って前記支柱の上端に取り付けられて前後に張り出される２枚の日除けシートのそれぞれの末端側を自動的に巻き上げて収納する巻き戻し機構と、前記各スライドレール部に沿って昇降自在に取り付けられたスライダと、前記各スライダに基端部が回転自在に支持されると共に先端側で前枠に連結されて前記各日除けシートの先端を支持するアームと、前記各アームの前記各日除けシートを取り付けた部分と前記各スライダとの間に先端が回転自在に連結されると共に後端側が前記支柱に各々回転自在に取付けられて支持される補助アームと、前記各スライドレール部に対する前記各スライダの少なくとも上スライド端を定める固定手段とを備えるようにしている。
【００１５】
したがって、この自立型オーニングによると、スライダを上昇させると、補助アームの支柱の連結点を中心とする揺動によってアームの先端が支柱から離れる方向に倒れながらアームが持ち上げられ、同時にアームの先端の前枠に取り付けられている日除けシートを自動巻き取り機構から引っ張り出す。そして、スライダがスライドレールに固定された時点でアームが支柱に固定され、日除けシートが張られる。他方、オーニングを畳む場合には、スライダを降下させる。スライダの降下によって、補助アームの支柱の連結点を中心とする揺動と相まってアームの先端が支柱に接近する方向に起立しながら、アームは下がる。同時に、日除けシートは巻き戻し機構によって自動的に巻き取られるように張力が常時付与されているので、アーム先端は日除けシートの巻き取りに伴って支柱側へ引っ張られる。そして、アームが支柱に沿った状態で日除けシートから加わる引張力で固定される。すなわち、アームを倒すだけで日除けシートを張り出す一方、アームを引き下げて支柱に沿って起立させるだけで日除けシートを巻き取り収納することができる。
【００１６】
しかも、日除けシートの前端を前枠で支える両側のアームは補助アームと支柱との間でトラスを構成して支持されることから、日除けシートに対して斜交いのように機能して強度を得る。また、突風や強い風が日除けシートを煽ったとしても日除けシートが巻き戻し機構から引き出されることによって風が受け流されるので、アームや補助アーム、支柱などに無理な力がかからないようにできるし、引き出された余分な日除けシートは自動的に巻き戻し機構に巻き取られるので弛みが生じない。
【００１７】
また、この自立型オーニングでは、アームの基端部のスライダをスライドレールに沿って上昇させながら当該アームの先端側を水平方向に突き出させるようにアームを倒して日除けシートを張り出すようにしているので、相当長いアームであっても、低い位置で日除けシートを張り出すことができる。
【００１８】
更に、オーニングの下の空間が支柱で分断されることがなく、端から端まで空間を利用することができ、例えばオーニングの中央を横切るような状態でテーブルやリクライニングチェア、ベット、シートなどを置くことができる。
【００１９】
また、請求項２記載の発明は、請求項１記載の自立型オーニングにおいて、各支柱の前後の各スライダが互いに独立して昇降可能に設けられ、前後の各日除けシートが別々に開閉できるようにしている。この場合には、必要な側の日除けシートだけを張り出させたり、あるいは一方の日除けシートの張り出し量と他方の日除けシートの張り出し量とを異ならせることもできる。したがって、設置場所に制限を受けることがなく、周りの状況に応じて必要な側の日除けシートを必要な量だけ引き出すことが可能となる。
【００２０】
また、請求項３記載の発明は、請求項１記載の自立型オーニングにおいて、各支柱の前後の各スライダが互いに連結されて同時に昇降可能に設けられ、前後の各日除けシートが同時に開閉できるようにしている。この場合には、前後の日除けシートが１つのスライダの昇降動作で同時に開閉させることができる。すなわち、１回の開閉操作で最大日除け面積の開状態と閉状態とに切り替えられる。
【００２１】
また、請求項４記載の発明は、請求項１から３のいずれか１つに記載の自立型オーニングにおいて、各アームを閉じたときに各アームの基端部のスライダを昇降させて各アームの先端を支柱から離すように倒す方向の付勢力を常時付勢する操作力アシスト手段を有するものである。この場合には、両支柱のアームの基端部がそれぞれ押し上げられながら開かれる方向に回転する力が操作力アシスト手段から常時付勢されているので、日除けシートを巻き戻し機構から引き出しアームを支柱から離す方向に倒す力を軽減できる。また、日除けを閉じるため、日除けシートを自動巻き取り機構に巻き取る際には、巻き取り完了直前のアームに連なる機素例えばスライダあるいは補助アームなどの動きが操作力アシスト手段に対して付勢力を蓄える方向に作用するため、日除けシートの巻き上げ速度ひいてはアーム先端の速度を減速して、支柱や巻き取り機構などとの衝撃を軽減できる。
【発明の効果】
【００２２】
しかして、請求項１記載の自立型オーニングによると、前枠で連結された両側のアームは補助アームと支柱との間でトラスを構成して支持されることから、高い構造強度を得ることができ、自立型オーニングそのものを大型化した場合の重量にも耐え得る。しかも、突風や強い風が日除けシートを煽ったとしても、常時一定の張力が付与されている日除けシートが巻き戻し機構から引き出されることによって風を受け流すのでアームや支柱などに無理な力がかからず、日除けシートを大きく張り出す構造即ち自立型オーニングの大型化を図ることができる。
【００２３】
また、アームを倒すだけで日除けシートを張り出す一方、アームを引き下げて支柱に沿って起立させるだけで日除けシートを巻き取り収納することができるので、スライダの昇降操作だけで日除けシートの引き出し・収納すなわち日除けの開閉操作が完了する。
【００２４】
しかも、アームの基端部をスライドレール部に沿って上昇させながら当該アームの先端側を水平方向に突き出させるようにアームを倒して日除けシートを張り出すようにしているので、相当長いアームを採用してもアーム長さ程度の低い位置で日除けシートを広い面積で張り出すことができる。しかも、アームがほぼ水平に張り出されるため、アームの下に通行の妨げや作業などの邪魔とならない程度の高さ・空間が確保でき、使い勝手が良い。更に、基端側を持ち上げながら倒すことによりほぼ水平方向に突き出させるアームで日除けシートを張り出しているので、日除けシートの張り出し角度が緩やかなものとなり、覆い被さるような圧迫感や鬱陶しさが少なく、開放的な自立型オーニングとなる。
【００２５】
また、オーニングの下の空間が支柱で分断されることがなく、端から端まで空間を利用することができるので、使い勝手の良いものとなる。
【００２６】
さらに、本発明によると、使わない場合には日除けシートを巻き取り装置に巻き取ることで日焼けすることを防止できるし、収納によりコンパクトにできる。
【００２７】
請求項２記載の発明の場合、前後の日除けシートが独立して開閉できるので、必要に応じて日除けシートを張り出す方向・日除け面積を適宜変更でき、使用形態や使用状況などに合わせやすい。
【００２８】
請求項３記載の発明の場合には、前後の日除けシートが同時に開閉できるので開閉操作がワンタッチで可能となる。
【００２９】
請求項４記載の発明の場合、オーニングの開操作を軽い力で行うことができると共に、日除けシートの巻き取り完了直前の衝撃を軽減できる。  
【発明を実施するための最良の形態】
【００３０】
以下、本発明の構成を図面に示す実施の形態の一例に基づいて詳細に説明する。
【００３１】
図１〜図５に本発明の自立型オーニングの一実施形態を示す。この自立型オーニングは、２本の支柱１の間に日除けシート２を前後方向に引き出し可能に備えたものであり、前後にスライドレール部であるガイドレール４をそれぞれ備えた２本の支柱１と、この２本の支柱１の間に跨るように配置されて前後に張り出される２枚の日除けシート２のそれぞれの末端側を自動的に巻き上げて収納する巻き戻し機構６と、各ガイドレール４に沿って昇降自在に取り付けられたスライダ２３と、各スライダ２３に基端部が回転自在に支持されると共に先端側で前枠１１に連結されて各日除けシート２の先端を支持するアーム３と、各アーム３の各日除けシート２を取り付けた部分と各スライダ２３との間に先端が回転自在に連結されると共に後端側が支柱１に各々回転自在に取付けられて支持される補助アーム５と、各ガイドレール４に対する各スライダ２３の少なくとも上スライド端を定める固定手段であるストッパ片８とを備えるものである。尚、本実施形態においては、支柱１とガイドレール４とはそれぞれ別部材で構成され、ビス止めや溶接などの接合手段で一体化されており、特に断りがない限り支柱１にはガイドレール４も含まれる。
【００３２】
アーム３はその基端部３ａがガイドレール４内に摺動自在でかつ離脱不能に収容されているスライダ２３によって支持され、かつ中程が支柱１に回転自在に連結されている補助アーム５によって吊り下げられることにより、基端部３ａのスライダ２３をスライドさせて持ち上げることによって先端側を水平方向に突き出させるように支持されている。また、アーム３を支持する左右の支柱１の間には、日除けシート２を巻き取った巻き戻し機構６が搭載され、左右の支柱１によって支持されている。
【００３３】
支柱１は、図２に示すように、その前後に互いに背くように２組のガイドレール４を縦向きに備え、アーム３を鉛直方向に昇降可能に支持するように設置されている。このガイドレール４は、図２に示すように、アーム３の基端部３ａに設けられたスライダ２３を内部で滑らせかつ離脱不能に保持するように収容する構造部材例えばチャネル材であり、型鋼やアルミ合金製の押し出し材や引き抜き材などの型材などからなる。このガイドレール４は、アーム３及び補助アーム５が貫通するための開口部に折り返し部４ａを備え、この折り返し部４ａと対向するレール底部４ｂとの間でスライダ２３のローラ９を転動可能にかつ脱落しないように支持するように設けられている。
【００３４】
ここで、ガイドレール４は、少なくともスライダ２３を日除けシート２が所定位置まで張り出されるのに必要な量だけスライドさせるのに必要な長さ・範囲において備えられていれば足りる。しかし、本実施形態では、当該ガイドレール４と支柱１とを同じ長さの型材でそれぞれ形成し、支柱１を挟んで２本のガイドレール４を背中合わせにそれぞれ連結することによって、全体として１本のガイドレール４を備える支柱として構成するようにしている。そこで、補助アーム５はスライダ２３が摺動することのない領域のガイドレール４部分を利用して回転自在に取り付けられている。尚、ガイドレール４としてのチャネル材の使用は、断面係数が大きく剛性に優れるので、アーム及び補助アームの支持を図る上で好ましい。また、スライダ２３は、ガイドレール４内を摺動可能なものであればその形態や材質などには特に限定されるものではなく、例えば板材をハット（hat）形に折り曲げて成るものにローラ９を備えたものでも、摺動性に優れる単なるブロック状のものでも実施可能である。更に、ガイドレール４にはスライダ２３と当接しこのスライダ２３の上方のスライド端を定めるストッパ片８が備えられている（詳細は図１８参照）。ガイドレール４を一体化した支柱１は、脚受け４９を下端に備え、この脚受け４９部分を基礎などにボルトなどで固定することによって任意の場所に据え付け可能とされている。しかしながら、必ずしも脚受け４９は取り付けられず、直接支柱１を基礎中に埋設するようにして固定設置するようにしても良い。オーニングが大型化したり、強い風が予測されるような使用状況下では、深い基礎を掘って支柱１を埋設することが好ましい。
【００３５】
本実施形態では日除けシート２に適度な張力を与えて巻き上げる巻き戻し機構６を設けることにより、アーム３と補助アーム５を畳むときこの日除けシート２が自動的に巻き取られるとともに、畳んだ後も引き続き日除けシート２が引っ張られてアーム３が倒れないようにしている。巻き戻し機構６の構造は特に図示していないが、例えば本実施形態では、左右のブラケット７ａによって回転可能に支持され日除けシート２が巻き付けられる巻き取り軸と、この巻き取り軸に巻き上げ方向への回転力を付与する図示しないトーションばね等を備えた構造となっている。日除けシート２を引き出す際にトーションばねに捻り力を蓄え、該捻り力で巻き取り軸６ａを逆回転させて日除けシート２を自動的に巻き戻すようにしている。この巻き戻し機構は、ロールカーテンなどで一般的に使用されているものでも使用可能である。より具体的には、各支柱１の上端に、図１に示すように、ブラケット７ａがそれぞれ設けられ、その間で巻き戻し機構６の巻き取り軸６ａを回転自在に支持するように設けられている。そして、その回りをカバー７で覆うことによって、巻き取り軸６ａに巻き取られた日除けシート２を日差しや風雨から保護するように設けられている。カバー７は、左右の支柱１の間に跨って配置され、ブラケット７ａにビス止めなどによって固定されている。
【００３６】
また、アーム３の日除けシート２を取り付けた先端部分３ｂとスライダ２３を備えた基端部３ａとの間、本実施形態の場合にはアームのほぼ中間部には補助アーム５が回転自在に連結されている。補助アーム５はブラケット１２によってアーム３に連結ピン４０を中心に回転自在に連結されている。
【００３７】
アーム３は日除けシート２を支持し得る強度を有するものであればどのような形状・構造でも良いが、できるだけ軽量でかつ強度に優れる材質や形状であることが好ましいことは言うまでもない。そこで、本実施形態では、断面矩形状のアルミパイプ材を採用し、その基端部３ａにブラケット２０を介してスライダ２３が備えられている。
【００３８】
また、左右のアーム３はそれぞれの先端部３ｂを前枠１１によって互いに連結され、同期して動作するように設けられている。前枠１１には日除けシート２の先端縁及び必要に応じて前垂れシートが止め付けられる。
【００３９】
アーム３の中程を吊り下げる補助アーム５は、その基端部をガイドレール４に連結ピン４２によって回転可能に連結し、先端部をアーム３に対してブラケット１２を介して連結ピン４０周りに回転可能に取り付けている。したがって、この補助アーム５は、ガイドレール４に沿ってスライダ２３が摺動することによってアーム３の基端部３ａが上方へ移動する際に、アーム３の先端部３ｂをガイドレール４から離す方向に導くような回転を与え、アーム３の先端３ｂ側をガイドレール４から水平方向に突き出させるように吊り下げる。尚、本実施形態ではアーム３にブラケット１２をビス止めや溶接付けなどで固着し、このブラケット１２に補助アーム５の先端部を回転可能に取り付けている。
【００４０】
日除けシート２は、特に生地に限定を受けるものではなく、キャンバス地などの一般に使用されているシート材の中から、あるいはそれ以外の新規のシート材の中から適宜選択される。また、日除けシート２はその張り出し側で前枠１１に止め付けられているが、場合によっては先端縁より幾分内側を止め付けて、止め付け部分から先を前枠１１から垂れ下がるフラップとするようにしてもよい。
【００４１】
本実施形態においては、各支柱１の前後に取り付けられたガイドレール４に収容されている各スライダ２３は、図２に示すように、連結部材１５によって互いに連結されてその動きが同期するように設けられている。すなわち、支柱１を挟んで背中合わせに配置されているガイドレール４の中を摺動するスライダ２３同士を連結部材１５で連結することによって、同時の昇降動作を可能に設けられ、前後の各日除けシート２が同時に開閉できるように設けられている。連結部材１５は、コの字形を成し、支柱１並びにガイドレール４を跨いでその両端が各スライダ２３にビス止めなどによって着脱自在に連結されている。すなわち、各スライダ２３に対して、連結部材１５はビスなどで固着され、必要に応じて当該連結部材１５を取り外すことによって前後の日除けシート２を別々に開閉できるようにすることも可能な構造とされている。尚、連結部材１５にはハンドル４４が取り付けられ、該ハンドル４４を握って連結部材１５の昇降操作が行われるように設けられている。また、連結部材１５には、支柱１との間で当該連結部材１５を固定するロック機構６１が備えられ、支柱１に対して固定可能とするように設けられている。ロック機構６１としては、例えば一般的な錠機構でも良いし、図２６、図２５、図２４並びに図１８に示すような単なる凹凸の嵌合を利用したようなものでも良い。この実施形態の場合には、図示していないが、支柱１側の適宜位置に設けられた穴に対して出入りする閂を錠機構で出没させるようにしたものであって、支柱１に対して連結部材１５を錠を掛けて固定することで、前後の日除けシート２の張り出し状態あるいは収納状態を保持することができる。
【００４２】
また、このアーム３の基端部３ａとスライダ２３との間には、アーム３を閉じたときに各アーム３の基端部３ａを付勢し、各アーム３の先端を支柱から離すように倒す方向の付勢力を常時付勢する操作力アシスト手段５０が設けられている。この操作力アシスト手段５０は、図５並びに図４に示すように、アーム３の基端部３ａ側に設けられるレバー５１と、スライダ２３側に搭載されてレバー５１に図上反時計回転方向の回転力を付勢する圧縮ばね５４及びロッド５３とで構成されている。ロッド５３は、頭部に受け座５２を有すると共に下部のボルト部に螺合される抜け止めとストローク調整用のナット５５を有している。このロッド５３は、板材をハット（hat）形に折り曲げて成るスライダ２３に嵌め込まれているブロック５７に嵌入されている摺動スリーブ５６に挿入されて、摺動可能にスライダ２３に支持されている。摺動スリーブ５６と受け座５２とには、それぞれ圧縮ばね５４の端部を受け止める凹部が形成されている。また、レバー５１の受け座５２と当接する部分は僅かに下向きに突出してＬ形を成し、その先端面部分が曲面となって受け座５２の表面と滑らか接触しうるように設けられている。この操作力アシスト手段５０によると、アーム３が起立する状態すなわち日除けが閉じられる状態（図５の（Ａ））では、レバー５１の先端がロッド５３の受け座５２を押して圧縮ばね５４を圧縮しながらロッド５３を押し下げる。他方、アーム３が倒れる状態すなわち日除けが開かれる状態（図５の（Ｂ））では、圧縮ばね５４の力で押し上げられるロッド５３の受け座５２でレバー５１の先端を押し上げて、レバー５１並びにアーム３を図上反時計回転方向に回転させる力を付与する。
【００４３】
また、操作力アシスト手段５０は、図５に示すスライダ搭載タイプに特に限られず、補助アーム５と支柱１との間あるいは連結部材１５と支柱１との間に設けられるようにしても良い。例えば、図６に示すように、補助アーム５を支柱１に回転自在に連結する連結ピン４２に捻りコイルばね５８を備え、ばねの一端を補助アーム５に、他端を支柱１にそれぞれ引っかけることによって、補助アーム５を支柱１から離す方向（開く方向）に付勢するばね力を補助アーム５に対して与えるようにしても良い。また、操作力アシスト手段５０は、図７に示すように、連結部材１５と支柱１との間に引っ張りばね５９を設けたり、あるいは圧縮ばね６０を設けて、アーム３を支柱１から離す方向（開く方向）に付勢するばね力をアーム３に対して与えるようにしても良い。各ばね５９あるいは６０の一端を連結部材１５に連結し、他端側を支柱１に連結している。
【００４４】
ここで、各アームに各アームの開く動作を補助する力を均等に付与するためには、操作力アシスト手段５０を全てのアーム３あるいは補助アーム５若しくは連結部材１５ないしはスライダ２３に設けることが好ましいが、各日除けシート２毎に少なくとも１基づつ装備しておけば、その効果を発揮することができる。例えば、日除けシート２を開閉させるアーム３を支える左右のスライダ２３の少なくとも１つに搭載しておけば、その効果を発揮することができる。勿論、必要に応じて前後の日除けシート２のいずれか一方にアシスト力が付与されるように操作力アシスト手段５０を搭載することも可能であるが、好ましくは双方の日除けシートに作用する操作力アシスト手段５０の搭載である。
【００４５】
以上のように、連結部材１５で前後のアーム３が連結された図１に示す構造の自立型オーニングによると、自立型オーニングを開く場合には、連結部材１５のハンドル４４を掴んで連結部材１５を支柱１に沿って持ち上げれば良い。連結部材１５の上昇によって、図１並びに図３あるいは図４に示すように、支柱１の前後に配置されたガイドレール４に装備された各スライダ２３が同時に上昇し、それぞれのスライダ２３に連結されているアーム３の基端部３ａがガイドレール４に沿って上昇する。アーム３の先端部３ｂは、基端部３ａ及び補助アーム５の動きと相まって支柱１から離れる方向に倒れていく。この動作に同期して前枠１１に取り付けられている日除けシート２が巻き取り機構６から引っ張り出される。また、この動作に伴い補助アーム５はガイドレール４から引き出されて基端部５ａの連結ピン４２を中心に回動する。そして、アーム３を所定角度まで引き倒した状態で連結部材１５を支柱１に固定することによって、アーム３と補助アーム５並びに支柱１を相互に固定する（図１の仮想線の状態）。
【００４６】
また、自立型オーニングを閉じる場合には、連結部材１５のロック機構６１を解除してから、ハンドル４４を掴んで連結部材１５を押し下げるだけで行われる。すなわち、連結部材１５の押し下げによってこれと一体となった前後のスライダ２３が下降してアーム３の基端部３ａをガイドレール４に沿って引き下げるため、アーム３はその先端側を引き起こしながら支柱１に沿って起立状態に移行する。同時に、日除けシート２は巻き戻し機構６により自動的に巻き取られ、弛むことなく巻き取り軸６ａの周囲に密に巻き付いてカバー７内に収容される（図１の実線の状態）。そこで、連結部材１５を支柱１に固定すれば、不用意に日除けが開くことがなくなる。本実施形態の自立型オーニングはワンタッチで日除けの開閉ができる。尚、連結部材１５をロック機構６１で固定するように設けているがこれに特に限られるものではなく、ロック機構がなくともアームの自重で開状態は維持され、巻き戻し機構６によって日除けシート２にかかる張力で閉状態は維持される。
【００４７】
ここで、図５〜図７に例示するような操作力アシスト手段５０を採用している場合には、日除けが閉じられている状態では、アーム３を支柱１から離す方向（開く方向）に付勢する力が操作力アシスト手段５０に蓄えられているので、連結部材１５を介して連結されたスライダ２３並びにアーム３などを持ち上げようとするときの操作力を開始時に軽減できる。このため、比較的軽い力でアーム３ないし補助アーム５を開きながら日除けシート２を巻き戻し機構６から引き出すことができる。また、日除けを閉じるときには、巻き取り完了直前のアーム３に連なる機素例えばスライダ２３あるいは補助アーム５などの動きが操作力アシスト手段５０に対して付勢力を蓄える方向に作用するため、日除けシート２の巻き上げ速度ひいてはアーム先端の速度を減速して、支柱１や巻き取り機構６などとの衝撃を軽減できる。
【００４８】
また、上述の第１の実施形態では、連結部材１５によって前後のアーム３を同時に操作するようにしているが、連結部材１５を取り外すことによって支柱１の前後の各スライダ２３を互いに独立させて昇降可能とし、図９〜図１７に示すように、前側の日除けシート２と後側の日除けシート２とを独自に開閉させるように構成することもできる。
【００４９】
この場合には、前後の各ガイドレール４に対して各スライダ２３を任意の位置で固定可能とすること、すなわち少なくとも上ストローク端、より好ましくは上下のストローク端、更には好ましくは上下のストローク端の間の複数の位置で固定可能とする固定手段を備えて支柱１に固定可能とすることが好ましい。
【００５０】
例えば、ガイドレール４にはスライダ２３と当接しこのスライダ２３の上方のスライド端を定めるストッパ片８が備えられている（図１８参照）。このストッパ片８は、例えばローラ９が転動するガイドレール４の折り返し部４ａの内側の壁面にビス止めなどによって取り付けられるＬ形のプレートから成り、ローラ９が転動する折り返し部４ａ並びにフランジ４ｃよりも内側の空間でスライダ２３の先端に設けられているストッパ部材１６と当接するように設けられている。そして、補助アーム５がガイドレール４の中へ収容されるのをストッパ片８が妨げることなくアーム基端部３ａのスライドを規制するようにされている。このストッパ片８は、ローラ９の保護を兼ねている。ここで、ガイドレール４は、アーム３及び補助アーム５が貫通するための開口部に折り返し部４ａを備え、この折り返し部４ａと対向するレール底部４ｂとの間でスライダ２３のローラ９を転動可能にかつ脱落しないように支持するように設けられている。また、レール底部４ｂ側にも、ローラ９の脱落を防止するためのフランジ４ｃが形成されている。更に、レール底部４ｂの中央には、固定手段２２を構成するロックプレート１７が収められる凹部（溝）４ｄが設けられている。これら凹部４ｄ並びにフランジ４ｃは、日除けシート２の出し入れに従って摺動するスライダ２３の移動距離と少なくとも同じ長さがあれば足りるが、本実施形態の場合のように押し出し材などで構成されることが経済的にも好適であることから、全長において形成されることが一般的である。
【００５１】
更に、ガイドレール４とスライダ２３との間には、図１８に示すように、スライダ２３を任意の位置で固定可能とする固定手段２２が備えられている。固定手段２２は、好ましくは複数の任意の位置でスライダ２３ひいてはアーム３を固定できるもので、少なくともスライダ２３の上下のストローク端、より好ましくはその間の１箇所以上で固定可能とするものである。この場合には、スライダ２３を任意位置に固定することで、アーム３の倒れ角度を任意の角度で固定し、日陰の大きさを自由に設定でき、自立型オーニングの取付スペースに合わせて張り出し量を変更したり、日陰量の調整を行うことができる。
【００５２】
固定手段２２は、例えばスライダに出没可能に搭載されたロケートピン２４と該ロケートピン２４を嵌入する複数の穴１８を支柱の高さ方向に離して設けスライダの移動範囲において支柱１に備えられたロックプレート１７とを有するものである。ロックプレート１７は、スライダ２３に出没自在に備えられるロケートピン２４を受け入れる穴１８が少なくとも２カ所以上設けられている。本実施形態の場合には、図示していないが、最大引き出し位置を定める穴と自立型オーニング収納位置を定める穴１８との間に日除けシート２の引き出し位置を調整するための任意の数（少なくとも１つ以上）の穴１８を設けるようにしている。穴１８の数は多いほどシート引き出し量を細かく調整できる。また穴１８の間隔も一定ピッチに限られず、不等ピッチであけるようにしても良い。穴１８の位置を変えることによって、最大引き出し位置を調整できるし、収納位置を定める穴１８との間に任意の数の穴１８を設けることにより、日除けシート２の引き出し量を任意の位置で止めることができる。さらに、ロックプレート１７をビス１９で固定する場合には、穴１８の位置を変えたロックプレート１７と交換することによって、容易にシート引き出し位置の調整が実施できる。また、ガイドレール４に対するロックプレート１７の取り付け位置を変更することも可能となる。即ち、ロックプレート１７そのものを交換したり、新たな位置に穴１８を加工しなくとも、ロックプレート１７のガイドレール４に対する取付位置を変更することによってアーム３の最大傾き即ち日よけシートの最大張り出し量などを変更することができる。このように、ロックプレートに任意の位置に穴をあけることによって、ユーザーの好みに合わせて簡単に張り出し量を調整することができるし、更にはロックプレートを交換可能とすることにより、その調整作業をさらに容易に実施できる。しかも、ロックプレート自体のロケートピンを嵌入する穴の位置を変更しなくとも、支柱に対するロックプレートの取り付け位置そのものを変更するだけで、自立型オーニングを取り付けようとするスペースに合わせて張り出し量を変更したり、日陰量の調整ができる。
【００５３】
本実施例では、ロックプレート１７は１枚のプレート材で構成しているが、これに限られるものではなく、複数枚のプレート１７をガイドレール４に対してそれぞれ取り付けるようにしてもよい。また、プレート材を別個にガイドレール４に取り付けずとも、ガイドレール４そのものにスライダ２３のロケートピン２４を受け入れる穴１８を直接設けて固定手段２２を構成するようにしても良い。１枚のプレート材でロックプレート１７を構成する場合には、ガイドレール４の強度を補強することができる。
【００５４】
スライダ２３は、例えば樹脂成形などによって得られたブロックに２対のローラ９と１対のストッパ部材１６を備え、ロケートピン２４を出入り自在に搭載するものである。ロケートピン２４はアーム３に備えられたレバー３１とコントロールワイヤ２６を介して連繋され、レバー３１による遠隔操作によって出入り自在とされている。ロケートピン２４には、先端が球面に形成されると共に後端にコントロールワイヤ２６の係留ボール２５が引っかかるための係留部２４ｄと係留ボール２５を収容するボール受け凹部２４ｂ並びにワイヤ２６ａが通過するワイヤ口２４ｃが形成されている。ワイヤ口２４ｃはボール受け凹部２４ｂに挿入されたワイヤ先端の係留ボール２５が通り抜けない幅のスリットである。また、ロケートピン２４には、ピン出没穴２９よりも大径のフランジ２４ａを後端側に備えており、該フランジ２４ａをばね収容室２８の底面２８ａに当接させることでロケートピン２４の突出を規制し、ロケートピン２４の最大突出量を定める。また、このフランジ２４とばね収容室２８を閉じるブラケット２０の座面との間には、圧縮コイルバネ２７が配置され、ロケートピン２４をスライダ２３から突出させる力を常時付勢するように設けられている。更には、コントロールワイヤ２６のアウターケーシング２６ｂを１対の締め付けナット２６ｃによってブラケット２０の座面に固定するようにしている。尚、符号１０は車軸、４３はブラケット２０をスライダ２３に取り付ける固定ねじである。
【００５５】
コントロールワイヤ２６の手元側は、アーム３の中程に設けられているハンドル３０に備えられている操作レバー３１に係留されている。即ち、コントロールワイヤ２６の手元側の係留ボール３５は、Ｌ形の操作レバー３１の短辺側に設けられた係留部３４に引っかけられて、連結ピン３３を中心に回転する操作レバー３１の動きによってワイヤ２６ａを引っ張るように設けられている。コントロールワイヤ２６のアウターケーシング２６ｂは１対の締め付けナット３７によって固定板３９に取り付けられている。固定板３９はハンドル３０に設けられているスリット３８に差し込まれてハンドル３０に固定され、締め付けナット３７部分がＵ字形の前後の溝３９に差し込まれるようにセットされて、コントロールワイヤ２６のアウターケーシング２６ｂがハンドル３０に固定されるように設けられている。尚、図中の符号４１はキャップである。
【００５６】
ハンドル３０は、ビス３２によってアーム３に取り付けられている。このハンドル３０の形状は特に限定されるものではないが、レバー３１を握りしめながらアーム３を押し引き可能とするように、半環状とすることが好ましい。このハンドル３０はレバー３１の操作とアームの把持を容易にするが、場合によっては設けられないこともある。レバー３１をアーム３側に押すことによってコントロールワイヤ２６が引っ張られるように直接アーム３に取付ければ、アーム３と共にレバー３１を把持して自立型オーニングの開閉操作を行うことができる。ロケートピン２４がアームに備えられたレバー３１による遠隔操作が可能な構造の固定手段２２の場合には、アーム３を掴んだ状態でレバー操作することによってスライダ２３の固定を解除できるため、オーニングの開閉操作を容易に行うことができる。しかも、任意の位置にスライダ２３を固定することができるので、日除けシート２の張り出し量の調整操作並びに収納・引き出し操作が容易である。
【００５７】
以上のように、前後のアーム３が独自に昇降可能な図９から図１７に示す構造の自立型オーニングによると、自立型オーニングを開く場合には、各日除けシート２を支えるアーム３のハンドル３０を掴んでアーム３を手でガイドレール４から離すように倒せば良い。このとき、レバー３１の操作によって固定手段２２のロックを解除し、スライダ２３の摺動を可能な状態としてから、アーム３を引き上げるようにして倒す。アーム３はスライダ２３のガイドレール４に沿った上昇に伴って、持ち上げられながら徐々に倒れ、巻き戻し機構６から日除けシート２を引き出す。そして、アーム３を所定角度まで引き倒した状態で、あるいはストッパ片８と当接するまで倒したときにレバー３１を離すことによって、スライダ２３からロケートピン２４を飛び出させてロックプレート１７の穴１８に嵌入させ、スライダ２３をロックプレート１７即ちガイドレール４に固定する。これによって、アーム３と補助アーム５並びに支柱１が相互に固定される（図９、図１０及び図１１）。
【００５８】
また、自立型オーニングを閉じる場合には、ハンドル３０を握った状態でレバー３１を操作して固定手段２２を解除してから、アーム３を支柱１へ向けて押しつけるだけで行われる。すなわち、アーム３の支柱１側の押しつけによって、補助アーム５の連結ピン４２を中心とする回転と相まってアーム３の基端部３ａのスライダ２３が下方にスライドさせられながら徐々に起き上がり、アーム３の先端側を引き起こしながら支柱１に沿って起立する状態に移行する。このとき、日除けシート２は巻き戻し機構６によって自動的に巻き戻され、ケース７内に収納される。そして、アーム３並びに補助アーム５が所定位置まで折り畳まれたときに、レバー３１を外して固定手段２２のロケートピン２４をロックプレート１７の穴１８に嵌入させてスライダ２３をスライドレール４に固定する。
【００５９】
ここで、自立型オーニングの開閉時には、ハンドル３１とともにレバー３０を握ることによって、固定手段２２のロック解除と同時にアーム３をハンドル３１を持って操作できるので、片手でも開閉操作ができる。しかも、レバー３１を操作しない限り、ロケートピン２４がロックプレート１７の穴１８に嵌入されてスライダが移動できない状態なので、風に煽られるなどして勝手に閉じたりする誤動作を防止でき、安全性が高まる。したがって、ワンタッチで日除けの開閉ができる。尚、固定手段２２によりスライダ２３をガイドレール４に固定するようにしているがこれに特に限られるものではなく、固定手段２２がなくともアームの自重で開状態は維持され、巻き戻し機構６によって日除けシート２にかかる張力で閉状態は維持される（図１２〜図１４参照）。
【００６０】
本実施形態の自立型オーニングによれば、支柱１を挟んだ前後の日除けシート２が別々に開閉できる構造とされているので、必要な側の日除けシートだけを張り出させたり、あるいは一方の日除けシートの張り出し量と他方の日除けシートの張り出し量とを異ならせたりすることが必要に応じて自由に選択できる。例えば図９〜図１１に示すように両日除けシート２を開いても良いし、図１５〜図１７に示すように片側だけの日除けシート２を開くようにしても良い。また、図示していないが、前後の日除けシート２のいずれか一方を完全に開きながら他方を半開きにしたり、あるいは双方を半開きにすることも可能である。したがって、設置場所に制限を受けることがなく、周りの状況に応じて必要な側の日除けシートを必要な量だけ引き出すことが可能となる。
【００６１】
なお、上述の実施形態は本発明の好適な実施の一例ではあるがこれに限定されるものではなく本発明の要旨を逸脱しない範囲において種々変形実施可能である。例えば、本実施形態では折り返し部４ａを有するチャネル状のガイドレール４を採用しているがこれに特に限定されるものではなく、スライダ２３を離脱不能でかつ上下方向に摺動可能に支持し得るものであればどのような形状でも構わず、支柱１とガイドレール４とを一体化した断面Ｃ型の型材を用いても良いし、Ｉ型あるいは⊥型などのアルミニウム型材などからなるガイドレール４を採用しても良い。
【００６２】
支柱１とガイドレール４とを１つの部材で構成する場合には、図８に示すように、横断面形状Ｃ型のチャネル材でガイドレールを兼ねた支柱１を構成し、その内部空間に１台のスライダ２３を昇降可能に収納し、この１台のスライダ２３に前後のアーム３をそれぞれ回転自在に連結ピン２１で連結するようにしても良い。この場合には、支柱１の側方に開放された縦溝を貫通させてアーム３の連結ピン２１とハンドル４４とをスライダ２３に取り付けるようにしている。したがって、ハンドル４４を把持してスライダ２３を昇降させることで、前後のアーム３を同時に持ち上げることによって、ワンタッチで日除けシート２の出し入れすなわち日除けの開閉を行うことができる。この実施形態の場合には、前後の日除けシート２３は共通のスライダの昇降で同時に開閉されるので、スライダ同士を連結する連結部材１５は必要なく、スライダ２３に直接ハンドル４４を取り付ければ足りる。
【００６３】
また、断面Ｉ型の型材から成るガイドレール４’の場合には、図２３に示すようにガイドレール４に取り付けられる下辺４ａ’とガイドレール４’から突き出る上辺４ｂ’との間でスライダ２３’のローラ９を引っかけるようにしてガイドレール４’に沿ってスライダ２３’を摺動可能に装着し、両辺４ａ’，４ｂ’に対して垂直な壁となる辺４ｃ’にスライダ２３に搭載されたロケートピン２４が嵌入する複数の穴１８’を利用して該穴１８’の位置にスライダ２３を固定するように設けても良い。スライダ２３’は、板材を折り曲げることによってあるいは引き抜き材や押し出し材を利用することによって得られたコ形のブロックに２対のローラ９を備え、ロケートピン２４を出入り自在に搭載するものである。ロケートピン２４は、例えば図１８に示すものと同様の構造のものでありその詳細な説明は省略するが、筒状のフランジ付きケーシング４７に圧縮コイルバネ２７と共に収容されてスライダ２３’の側面に取り付けられている。ケーシング４７の底部にコントロールワイヤ２６のアウターケーシング２６ｂを１対の締め付けナット２６ｃによって固定し、ケーシング内に引き込んだワイヤ２６ａの先端の係留ボール２５をロケートピン２４の係留部２４ｄに引っかけるようにしている。ロケートピン２４は、スライダ２３’のピン出没穴２９からガイドレール４’の辺４ｃ’へ向けて突出し、フランジ２４ａをスライダ２３’のピン出没穴２９の周縁に当接させることでロケートピン２４の突出を規制するように設けられている。そして、フランジ２４とケーシング４７の底部との間に配置されている圧縮コイルバネ２７によって、ロケートピン２４を辺４ｃ’へ向けて突出させる力を常時付勢するように設けられている。コントロールワイヤ２６は図２１のレバーによって操作される。この実施形態においては、ロックプレート１７を用いずに、ガイドレール４’に直接開けられた穴１８’にロケートピン２４を嵌入する固定手段２２を構成するようにしている。図示していないが、ガイドレール４’の辺４ｃ’にロックプレート１７をビス止めなどで取り付けるようにしても良い。
【００６４】
更に、ロケートピン２４の操作は、アーム３に取り付けたハンドル３０の中のレバー３１によって行われる場合に限られず、ロケートピン２４をユーザーが直接掴んで操作するようにしていも良い。例えば、図２５に示すように、ロケートピン２４の後端側に握り玉４５を備えた握り棒４６を取付け、該握り棒４５を直接引っ張ることによってロケートピン２４をロックプレート１７の穴１８から引き出してスライダ２３の固定を解除するようにしても良い。ロケートピン２４は握り棒４５を離すとばね２７の力でスライダ２３から突出する
【００６５】
また、図２６に示すように、スライダ２３に開けた穴４８とガイドレール４にあけた穴１８’とを重ねてロケートピン２４’を通して直接スライダ２３とガイドレール４とを連結して固定するようにしても良い。
【００６６】
また、本実施形態ではガイドレール４を２本備えた自立型オーニングについて説明したが、これも好適な一例に過ぎず、構造物の本数を適宜増やして構わない。例えば、幅広の日除けシートを採用する場合などには、両端以外に中央にもアームと支柱とを配置し、３組以上のアーム３とガイドレール４で支持するようにしてもよい。
【００６７】
また、左右のアーム３の先端の連結手段として前枠１１の代わりに巻き取り機構６の巻き取り軸６ａを利用することも可能である。この場合にも、アームが倒れて日除けシートが張り出された状態では、日除けシートが引き出されているのでアーム先端にかかる日除けシート重量は少なくなり、アームを引き起こすための力も大きくは必要としない。
【００６８】
また、本実施形態では、図５に示すように、アーム３の基端部３ａとスライダ２３との間に操作力アシスト手段５０を設け、この操作力アシスト手段５０の付勢力を用いてスライダ２３及びアーム３などを持ち上げようとするときの操作力を軽減できるようにしたが、その操作力をさらに軽減するために、図３０〜図３２に示すように、支柱１’と補助アーム５との間に、補助アーム５の先端を支柱１’から離すように持ち上げる方向に各補助アーム５に対して回転力を付与する補助アーム押圧手段７０を設けても良い。以下、補助アーム押圧手段７０について説明するが、上記実施形態と同様の構成部材については同一の符号を付し、その説明を省略する。
【００６９】
補助アーム押圧手段７０は、各補助アーム５に対して１つずつ設けられており、図３１及び図３２に示すように、圧縮コイルバネ７１、リンク金具７２、及び開口１’ａ、４ｅから構成されている。支柱１’は、その横断面が略コ字状となるように形成されており、支柱１’には補助アーム押圧手段７０が収容される空間が形成されている。ガイドレール４に連結ピン４２によって回転可能に連結されている補助アーム５の基端部の上方で、支柱１の上端部のガイドレール４側の内壁には、圧縮コイルバネ７１が取り付けられる一対の固定金具７３がビス（不図示）によって強固に固着されている。補助アーム５の基端部と固定金具７３との間の支柱１及びガイドレール４には、ガイドレール４の内側の空間と支柱１’の内側の空間とを連通する縦長の開口１’ａ、４ｅが形成されている。開口１’ａ、４ｅは互いに重なるように支柱１’及びガイドレール４に形成されており、補助アーム押圧手段７０は開口１’ａ、４ｅから露呈されている。
【００７０】
補助アーム５の基端部には開口１’ａ、４ｅを介して支柱１’の内部に向けて突出するようにリンク金具７２が延設されている。このリンク金具７２は、補助アーム５と圧縮コイルバネ７１とを連結して圧縮コイルバネ７１の付勢力を補助アーム５に伝達するものであり、長片７２ａと短片７２ｂとからなる略く字状に形成された薄板から構成されている。リンク金具７２において、長片７２ａと短片７２ｂとの間の屈曲部には連結ピン４２が挿通されている。長片７２ａは補助アーム５に重なり合うように配置され、且つビス７５で強固に固着されており、短片７２ｂは補助アーム５の基端部から開口１’ａ、４ｅを介して支柱１’の内部に露呈されている。このようにリンク金具７２は連結ピン４２を中心にして回転可能となるように補助アーム５に取り付けられており、短片７２ｂの先端は、補助アーム５が起立している状態すなわち日除けが閉じられている状態（図３０（Ａ）及び図３１参照）では開口１’ａ、４ｅを介してガイドレール４側に位置し、日除けが閉じられている状態から補助アーム５が倒れている状態すなわち日除けが開かれている状態（図３０（Ｂ）及び図３２参照）に移行すると、開口１’ａ、４ｅを介して支柱１’の内部に突出するように変位する。
【００７１】
圧縮コイルバネ７５の先端と基端にはマウント７６、７７が固着されており、マウント７６は固定金具７３に、マウント７７は短片７２ｂの先端にそれぞれ連結ピン７８、７９を介して回転可能に軸支されている。特に図示しないが、マウント７６とマウント７７との間には、圧縮コイルバネ７５の伸縮を一定方向にガイドするガイド部材が設けられている。このガイド部材は、例えば、圧縮コイルバネ７５の内径よりも僅かに小さい外径を有する一対のシリンダと、このシリンダを長手方向に貫くロッドとからなる。シリンダの先端はロッドを介して対向しており、基端はマウント７６、７７にビスなどで固着されている。このガイド部材によれば、シリンダが圧縮コイルバネ７５の形状を維持し、圧縮コイルバネ７５の伸縮に伴って一方のシリンダの先端と他方のシリンダ先端との距離がロッドに沿って相対的に変位するので、圧縮コイルバネ７５の伸縮方向を一定に保持することができる。なお、ガイド部材は圧縮コイルバネ７５の伸縮方向を一定に保持するものであればどのようなものであっても良く、その形態は適宜に決定すれば良い。
【００７２】
このように支柱１’に固着されている固定金具７３と補助アーム５に固着されているリンク金具７２とを圧縮コイルバネ７５を介して連結することにより、日除けが閉じられている状態では、図３１に示すように圧縮コイルバネ７５に付勢力が蓄えられ、日除けが開かれている状態では、図３２に示すように補助アーム５を連結ピン４２を中心として時計周り方向（補助アーム５の先端を支柱１’から離す方向）に回転させるような付勢力が短片７２ｂの先端に対して付与される。
【００７３】
上記のように構成された補助アーム押圧手段７０を自立型オーニングに採用することにより、ハンドル４４を掴んで、日除けを閉じた状態（図３０（Ａ）及び図３１参照）から開いた状態（図３０（Ｂ）及び図３２参照）に移行させる操作をした場合、リンク金具７２の先端には圧縮コイルバネ７５の付勢力が付与され、これにより補助アーム５には図３２の連結ピン４２を中心とした時計周り方向に回転力が生じ、日除けを閉じた状態から開いた状態に移行させる操作に要する力を開始時に軽減できる。したがって、比較的軽い力でアーム３及び補助アーム５を開きながら日除けシート２を巻き戻し機構６から引き出すことができる。また、補助アーム押圧手段７０を操作力アシスト手段５０と併用することにより日除けを閉じた状態から開いた状態に移行させる操作をより一層軽減することができる。さらに、補助アーム押圧手段７０と操作力アシスト手段５０とを併用することにより、日除けが開かれている状態において、巻き取り機構６のトーションバネによる日除けを開いた状態から閉じた状態に移行させる方向にかかる付勢力と補助アーム押圧手段７０による日除けを閉じた状態から開いた状態に移行させる方向にかかる付勢力とのバランスを良好にすることができ、風に煽られるなどして日除けがユーザーの意思に反して閉じたり開いたりする誤動作を防止できる。なお、上記のガイド部材を空気バネとして機能させても良く、空気バネと圧縮コイルバネ７５とを併用することにより補助アーム押圧手段７０が補助アーム５に与える付勢力を増大させることができる。
【００７４】
また、本実施形態では、連結部材１５にロック機構６１を設け、このロック機構６１によって連結部材１５を支柱１に固定するようにしたが、これに限ることなく、図３３及び図３４に示すように、ロック機構８０を用いても良い。以下、ロック機構８０について説明するが、上記実施形態と同様の構成部材については同一の符号を付し、その説明を省略する。
【００７５】
ロック機構８０は、連結部材１５を任意の位置で支柱１に固定するものであり、板状のレバー８１がスライド自在に組み込まれたハンドル８２と、レバー８１に固定されているロケートピン８３と、支柱１及び連結部材１５に形成されており、ロケートピン８３が嵌入される孔１ｂ、１５ａとを有している。ハンドル８２は、連結部材１５の上記実施形態のハンドル４４が取り付けられていた位置と同様の位置にビスや接着剤などで固着されている。ハンドル８２には、ユーザーがハンドル８２を掴む際に指や手などを通す横長の貫通孔８２ａが形成されている。レバー８１は、その外形がハンドル８２の外形よりも小さく形成されており、ハンドル８２の内部に組み込まれている。レバー８１には貫通孔８２ａよりも小さい横長の貫通孔８１ａが形成されており、この貫通孔８１ａは、レバー８１がハンドル８２に組み込まれた際に貫通孔８２ａから露呈される。特に図示しないが、ハンドル８１の内部には凹状のガイドレールが、レバー８１にはガイドレールに係合する凸部が設けられており、レバー８１の凸部をハンドル８１のガイドレールに嵌め込むことによりレバー８１がハンドル８２にスライド自在に組み込まれる。
【００７６】
ロケートピン８３は、略円柱状の外形を成しており、その先端が半球状に形成されている本体部８３ａと、この本体部８３ａの外径よりも細径の軸部８３ｂとから構成されている。ロケートピン８３は、その軸部８３ｂがフランジ８４に形成されている本体部８３ａの径よりも細径の貫通孔８４ａに挿通されており、軸部８３ｂの基端側に形成されている雄ネジ（不図示）がレバー８１に形成されている雌ネジ（不図示）に螺合され、レバー８１に固定されている。フランジ８４は、後述する圧縮コイルバネ８６の付勢力をロケートピン８３に伝達するものであり、略コ字状に形成されている。フランジ８４の両端はビス８５でレバー８２の端面に固着されており、フランジ８４から露呈されているビス８５の頭８５ａと連結部材１５とが対向した状態となっている。フランジ８４とレバー８１との間で、ロケートピン８３の軸部８３ｂには圧縮コイルバネ８６が設けられており、その一端はフランジ８４に、他端はハンドル８１に形成されている凹部８１ｂに固着されている。これによりロケートピン８３は圧縮コイルバネ８６によってハンドル８２の内部から外部に向けて突出するように常時付勢される。また、圧縮コイルバネ８６の付勢力によりビス８５の頭８５ａが連結部材１５に当接し、これによりロケートピン８３の本体部８３ａの孔１５ａからの突出量が規制される。つまり、フランジ８４から露呈されるビス８５の頭８５ａの高さは、頭８５ａが連結部材１５に当接した際にロケートピン８３の本体部８３ａが孔１ｂに嵌入されるように設定されている。
【００７７】
支柱１にはその高さ方向に一定のピッチで複数の孔１ｂが形成されており、連結部材１５には孔１ｂに対応するように複数の孔１５ｂが形成されている。孔１ｂ、１５ｂには、ロケートピン８３の本体部８３ａが嵌入されている。孔１ｂ、１５ｂはいずれも、少なくとも日除けシート２の最大引き出し位置を定める孔と、日除けシート２の収納位置を定める孔とを設ければ良いが、本実施形態では、これらの孔の他に、最大引き出し位置を定める孔と日除けシート２の収納位置を定める孔との間に日除けシート２の引き出し位置を調節するための孔を任意の数だけ設けるようにしている。したがって、ロケートピン８３の本体部８３ａを孔１ｂ、１５ｂに嵌入することで、日除けシート２の張り出し状態あるいは収納状態を保持することができる。
【００７８】
上記のように構成されたロック機構８０を自立型オーニングに採用することにより、自立型オーニングを開く場合、先ず、ハンドル８２の開口８２ａとレバー８１の開口８１ａとに指を通し、レバー８１を引きながらハンドル８２を掴む。このようにしてハンドル８２を掴むと、図３４に示すように、ロケートピン８３の本体部８３ａが圧縮コイルバネ８６の付勢に抗して孔１ｂから引き抜かれ、スライダ２３が摺動可能な状態なる。ハンドル８２を支柱１の高さ方向に沿って持ち上げると、アーム３はスライダ２３のガイドレール４に沿った上昇に伴って持ち上げられながら徐々に倒れ、巻き戻し機構６から日除けシート２が引き出される。そして、アーム３を所望の角度まで引き倒した状態で、あるいは固定手段８と当接するまで倒したときにレバー８１を放すことによって、孔１５ａからロケートピン８３を突出させて孔１ｂに嵌入させ、連結部材１５を支柱１に固定する。これによりアーム３、補助アーム５、及び支柱１が相互に固定される。
【００７９】
他方、自立型オーニングを閉じる場合には、先ず、ハンドル８２の開口８２ａとレバー８１の開口８１ａとに指を通し、レバー８１を引きながらハンドル８２を掴む。このようにしてハンドル８２を掴むと、上記と同様にしてロケートピン８３の本体部８３ａが孔１ｂから引き抜かれる。ハンドル８２を支柱１の高さ方向に沿って引き下げると、アーム３は、スライダ２３のガイドレール４に沿った下降に伴って、補助アーム５の連結ピン４２を中心とする回転と相まってその先端側を引き起こしながら支柱１に沿って起立した状態に移行する。このとき、日除けシート２は巻き戻し機構６によって自動的に巻き戻され、ケース７内に収納される。そして、アーム３及び補助アーム５を所望の位置まで折り畳んだときに、レバー８１を放してロケートピン８３の本体部８３ａを孔１ｂに嵌入させ、連結部材１５を支柱１に固定する。これによりアーム３、補助アーム５、及び支柱１が相互に固定される。
【００８０】
このようにロック機構８０を用いることにより、自立型オーニングの開閉時には、ハンドル８２とともにレバー８１を握ることによって、連結部材１５と支柱１とのロック解除と同時にアーム３をハンドル８２を掴んで操作できるので、片手でも開閉操作ができる。また、レバー８１を操作しない限り、ロケートピン８３が孔１ｂに嵌入されてスライダ２３が移動できない状態となるので、風に煽られるなどして日除けシート２が勝手に閉じたり開いたりする誤動作を防止でき、安全性が高まる。
【００８１】
また、本実施形態では、操作レバー３１を有するハンドル３０をアーム３に設け、この操作レバー３１及びハンドル３０によって支柱１を挟んだ前後の日除けシート２が別々に開閉できる構造としたが、これに限ることなく、図３５及び図３６に示すように、スライダ２３に設けられている固定手段８９を用いて支柱１を挟んだ前後の日除けシート２を別々に開閉するようにしても良い。以下、固定手段８９について説明するが、上記実施形態と同様の構成部材については同一の符号を付し、その説明を省略する。特に、固定手段８９を構成しているレバー９０及びハンドル９１は上述したハンドル８２及びレバー８１とほぼ同様の構造を成しているであるため、重複している箇所の説明は省略し、異なる箇所についてのみ説明する。
【００８２】
固定手段８９は、ロケートピン８３、レバー９０、及びハンドル９１とを備えている。ハンドル９１にはロケートピン８３を有するレバー９０がスライド自在に組み込まれている。レバー９０及びハンドル９１には、上述した開口８１ａ、８２ａと同様の開口９０ａ、９１ａが形成されている。また、ハンドル９１には、ロケートピン８３の軸部８３ｂに設けられている圧縮コイルバネ８６が収容されるバネ収容室９１ｂが形成されている。さらに、ハンドル９１には、このバネ収容室９１ｂと連通しており、ロケートピン８３の本体部８３ａをハンドル９１の内部から外部に露呈させる開口９１ｃが形成されている。本体部８３ａは、開口９１ｃからハンドル９１の外部に突出した際に穴１８に嵌入可能となるように設計されている。本体部８３ａの基端には本体部８３ａの外径よりも大きい外径を有するフランジ９２が形成されており、このフランジ９２をバネ収容室９１ｂと開口９１ｃとの境界に形成されている段差部９１ｄに当接させることで本体部８３ａの開口９１ｃからの突出量を規制し、ロケートピン８３の最大突出量を定める。圧縮コイルバネ８６の一端はフランジ９２に、他端はバネ収容室９１の底部９１ｅに固着されており、これにより、ロケートピン８３は、本体部８３ａを開口９１ｃからハンドル９１の外部に突出させる方向に圧縮コイルバネ８６によって常時付勢される。このように構成されたハンドル９１は、本体部８３ａがロックプレート１７の穴１８に嵌入されるようにスライダ２３の下面２３ａにビスや接着剤などで固着されている。
【００８３】
上記のように構成された固定手段８９を自立型オーニングに採用することにより、自立型オーニングを開く場合、先ず、ハンドル９１の開口９１ａとレバー９０の開口９０ａとに指を通し、レバー９０を引きながらハンドル９１を掴む。このようにしてハンドル９１を掴むと、図３６に示すように、ロケートピン８３の本体部８３ａが圧縮コイルバネ８６の付勢に抗して穴１８から引き抜かれ、スライダ２３が摺動可能な状態なる。ハンドル９１を支柱１の高さ方向に沿って持ち上げると、アーム３はスライダ２３のガイドレール４に沿った上昇に伴って持ち上げられながら徐々に倒れ、巻き戻し機構６から日除けシート２が引き出される。そして、アーム３を所望の角度まで引き倒した状態で、あるいは固定手段８と当接するまで倒したときにレバー９０を放すことによって、開口９１ｃからロケートピン８３を突出させて穴１８に嵌入させ、スライダ２３をロックプレート１７即ちガイドレール４に固定する。これによりアーム３、補助アーム５、及び支柱１が相互に固定される。
【００８４】
他方、自立型オーニングを閉じる場合には、先ず、ハンドル９１の開口９１ａとレバー９０の開口９０ａとに指を通し、レバー９０を引きながらハンドル９１を掴む。このようにしてハンドル９１を掴むと、上記と同様にしてロケートピン８３の本体部８３ａが穴１８から引き抜かれる。ハンドル９１を支柱１の高さ方向に沿って引き下げると、アーム３は、スライダ２３のガイドレール４に沿った下降に伴って、補助アーム５の連結ピン４２を中心とする回転と相まってその先端側を引き起こしながら支柱１に沿って起立した状態に移行する。このとき、日除けシート２は巻き戻し機構６によって自動的に巻き戻され、ケース７内に収納される。そして、アーム３及び補助アーム５を所望の位置まで折り畳んだときに、レバー９０を放してロケートピン８３の本体部８３ａを穴１８に嵌入させ、スライダ２３をロックプレート１７即ちガイドレール４に固定する。これによりアーム３、補助アーム５、及び支柱１が相互に固定される。
【００８５】
以上のように、固定手段８９によれば、自立型オーニングの開閉時には、ハンドル９１とともにレバー９０を握ることによってスライダ２３とガイドレール４とのロック解除と同時にアーム３をハンドル９１を掴んで操作できるので、片手でも開閉操作ができる。また、レバー９０を操作しない限り、ロケートピン８３が穴１８に嵌入されてスライダ２３が移動できない状態となるので、風に煽られるなどして日除けシート２が勝手に閉じたり開いたりする誤動作を防止でき、安全性が高まる。また、支柱１を挟んだ前後の日除けシート２が別々に開閉できるので、必要な側の日除けシートだけを張り出させたり、あるいは一方の日除けシート２の張り出し量と他方の日除けシート２の張り出し量とを異ならせたりすることが必要に応じて自由に選択できる。さらに、自立型オーニングを開閉する際に操作されるレバー９０及びハンドル９１がガイドレール４に沿って設けられているので、自立型オーニングを比較的大きな物（例えば、自動車など）に対して用いる場合であっても、レバー９０及びハンドル９１を容易に掴んで操作することができる。
【図面の簡単な説明】
【００８６】
【図１】本発明の自立型オーニングの一実施形態を示す側面図で、実線で日除けシートを収納した状態、仮想線で日除けシートを引き出した状態を示す。
【図２】連結されたスライダとガイドレール並びに支柱との関係の一実施形態を示す横断面図である。
【図３】操作力アシスト手段を搭載しないスライダとガイドレール並びに支柱との関係を示す図で、（Ａ）は下から見た斜視図、（Ｂ）は上から見た斜視図である。
【図４】操作力アシスト手段を搭載したスライダとガイドレール並びに支柱との関係を示す図で、（Ａ）は下から見た斜視図、（Ｂ）は上から見た斜視図である。
【図５】操作力アシスト手段の一実施形態を示す縦断面図で、（Ａ）は日除けシートを収納した（蓄圧）状態、（Ｂ）は日除けシートを引き出した（付勢）状態を示す。
【図６】操作力アシスト手段の他の実施形態を示す概略図で、（Ａ）は全体説明図、（Ｂ）は要部拡大図である。
【図７】操作力アシスト手段の他の実施形態を示す概略図で、（Ａ）は引っ張りばねを用いた例、（Ｂ）は圧縮ばねを用いた例を示す。
【図８】連結されたスライダとガイドレール並びに支柱との他の実施形態を示す横断面図である。
【図９】本発明の自立型オーニングについて、前後の日除けシートを独自に開閉可能とした実施形態を示す側面図で、前後の日除けシートを共に開いた状態を示す。
【図１０】図９の自立型オーニングの下から見た斜視図である。
【図１１】図９の自立型オーニングの上から見た斜視図である。
【図１２】図９の自立型オーニングにおいて、前後の日除けシートを共に閉じた状態を示す側面図である。
【図１３】図９の自立型オーニングの前後の日除けシートを共に閉じた状態を上から見た斜視図である。
【図１４】図９の自立型オーニングの前後の日除けシートを共に閉じた状態を下から見た斜視図である。
【図１５】図９の自立型オーニングにおいて、一方（前方）の日除けシートを収納すると共に他方（後方）の日除けシートを引き出した状態を示す側面図である。
【図１６】一方（前方）の日除けシートを収納すると共に他方（後方）の日除けシートを引き出した状態の自立型オーニングの上から見た斜視図である。
【図１７】一方（前方）の日除けシートを収納すると共に他方（後方）の日除けシートを引き出した状態の自立型オーニングのを下から見た斜視図である。
【図１８】スライダと支柱のガイドレールとの関係を示す拡大縦断面図である。
【図１９】スライダと支柱のガイドレールとの関係を示す横断面図である。
【図２０】アームを起てて支柱と並べた状態を示す側面図である。
【図２１】ハンドルとコントロールワイヤの操作レバーとの構造を示す拡大縦断面図である。
【図２２】ハンドルとアーム並びに補助アームとの関係を示す横断面図である。
【図２３】スライダと支柱のガイドレールとの他の実施形態を示す斜視図である。
【図２４】図２３の実施形態のスライダと支柱とを固定する固定手段部分の拡大縦断面図である。
【図２５】スライダのロケートピンの操作機構の他の実施形態を示す拡大縦断面図である。
【図２６】スライダと支柱とを固定する固定手段の他の実施形態を示す斜視図である。
【図２７】従来の八角形自立型オーニングの構造を示す図で、（Ａ）は側面図、（Ｂ）は平面図である。
【図２８】従来の片持ち式自立型オーニングの概略構造を示す側面図である。
【図２９】従来の矩形自立型オーニングの構造を示す斜視図である。
【図３０】補助アーム押圧手段を採用した自立型オーニングの態様を示す側面図であり、（Ａ）は日除けシートを収納した状態、（Ｂ）は日除けシートを引き出した状態を示す。
【図３１】図３０（Ａ）の符号Ａで示す箇所の拡大図であり、日除けシートが収納されているときの補助アーム押圧手段の態様を示す。
【図３２】図３０（Ｂ）の符号Ｂで示す箇所の拡大図であり、日除けシートが引き出されているときの補助アーム押圧手段の態様を示す。
【図３３】連結部材と支柱とがロック機構によって固定されているときのスライダ、ガイドレール、支柱、及びロック機構の態様を示す拡大横断面図である。
【図３４】ロック機構による連結部材と支柱との固定を解除したときのスライダ、ガイドレール、支柱、及びロック機構の態様を示す拡大横断面図である。
【図３５】スライダと支柱とを固定する固定手段における他の実施形態を示す拡大縦断面図であり、スライダが支柱に固定されているときのスライダ、ガイドレール、支柱、及び固定手段の態様を示す。
【図３６】スライダと支柱とを固定する固定手段における他の実施形態を示す拡大縦断面図であり、固定手段によるスライダと支柱との固定を解除したときのスライダ、ガイドレール、支柱、及び固定手段の態様を示す。
【符号の説明】
【００８７】
１  支柱
２  日除けシート
３  アーム
３ａ  基端部
４  ガイドレール
５  補助アーム
６  巻き戻し機構
８  ストッパ片
１１  前枠
１５  連結部材
１７  ロックプレート
１８，１８’，４８  ロケートピンが挿入される穴
２２、８９  固定手段
２３，２３’スライダ
２４，２４’，８３  ロケートピン
２６  ワイヤ
３０  ハンドル
３１  レバー
【図１】
2006043430.tif 000003
【図２】
2006043430.tif 000004
【図３】
2006043430.tif 000005
【図４】
2006043430.tif 000006
【図５】
2006043430.tif 000007
【図６】
2006043430.tif 000008
【図７】
2006043430.tif 000009
【図８】
2006043430.tif 000010
【図９】
2006043430.tif 000011
【図１０】
2006043430.tif 000012
【図１１】
2006043430.tif 000013
【図１２】
2006043430.tif 000014
【図１３】
2006043430.tif 000015
【図１４】
2006043430.tif 000016
【図１５】
2006043430.tif 000017
【図１６】
2006043430.tif 000018
【図１７】
2006043430.tif 000019
【図１８】
2006043430.tif 000020
【図１９】
2006043430.tif 000021
【図２０】
2006043430.tif 000022
【図２１】
2006043430.tif 000023
【図２２】
2006043430.tif 000024
【図２３】
2006043430.tif 000025
【図２４】
2006043430.tif 000026
【図２５】
2006043430.tif 000027
【図２６】
2006043430.tif 000028
【図２７】
2006043430.tif 000029
【図２８】
2006043430.tif 000030
【図２９】
2006043430.tif 000031
【図３０】
2006043430.tif 000032
【図３１】
2006043430.tif 000033
【図３２】
2006043430.tif 000034
【図３３】
2006043430.tif 000035
【図３４】
2006043430.tif 000036
【図３５】
2006043430.tif 000037
【図３６】
2006043430.tif 000038